(57)【要約】【課題】  簡単な構造により雨水の浸入を効果的に防止することのできる自動販売機の雨水浸入防止構造を提供する。【解決手段】  外扉20の前面に設けられた硬貨返却口27の開口部27aへの浸入を防止するための雨水浸入防止構造であって、開口部27aの少なくとも上方に開口部27aの幅W以上の幅を有する突起部30を設け、突起部30を外扉20の前面よりも前方へ突出するように形成した。【選択図】図２
2007048034.tif 000002
【特許請求の範囲】
【請求項１】
自動販売機の前面に設けられた開口部への雨水の浸入を防止するための雨水浸入防止構造であって、
前記開口部の少なくとも上方に開口部の幅以上の幅を有する突起部を設け、突起部を自動販売機の前面よりも前方へ突出するように形成した
ことを特徴とする自動販売機の雨水浸入防止構造。
【請求項２】
前記開口部の上方に位置する突起部を下方に傾斜するように形成した
ことを特徴とする請求項１に記載の自動販売機の雨水浸入防止構造。
【請求項３】
前記開口部の両側方に位置する突起部をそれぞれ開口部の上下方向の寸法よりも上下方向に長く形成した
ことを特徴とする請求項１又は２に記載の自動販売機の雨水浸入防止構造。
【請求項４】
前記開口部の上方に位置する突起部を山形状に形成した
ことを特徴とする請求項１乃至３の何れかに記載の自動販売機の雨水浸入防止構造。
【請求項５】
前記突起部を自動販売機に一体に形成した
ことを特徴とする請求項１乃至４の何れかに記載の自動販売機の雨水浸入防止構造。
【請求項６】
前記突起部が設けられた部材を自動販売機に取り付けた
ことを特徴とする請求項１乃至４の何れかに記載の自動販売機の雨水浸入防止構造。
【発明の詳細な説明】
【技術分野】
【０００１】
本発明は、例えば前面に設けられた硬貨返却口や商品取出口等のような開口部を介して雨水を内部に浸入させないための自動販売機の雨水浸入防止構造に関するものである。
【背景技術】
【０００２】
一般に、この種の自動販売機には、内部に浸入する雨水を導水して外部に排出する排水装置が設けられており、この排水装置としては、例えば硬貨返却口本体の底部に設けられた穴と、硬貨返却口底部に設けられた前後方向に傾斜した排水溝とによって硬貨返却口本体に浸入した雨水を排出するようにしたものが知られている（例えば特許文献１参照。）。
【特許文献１】特開２０００−２６８２４５号公報
【発明の開示】
【発明が解決しようとする課題】
【０００３】
しかしながら、従来の排水装置では、硬貨返却口本体に浸入する雨水量が多いときに、排水溝や穴から雨水を排出しきれずにオーバーフローが発生し、雨水の浸入による自動販売機の電気系の故障等を生じるおそれがあった。
【０００４】
また、排水装置を設ける箇所や浸入する雨水量によって排水装置の部品の形状や長さを設定する必要があるため、部品の形状が複雑になるとともに、専用部品が必要となり、自動販売機の生産性を低下させるという問題があった。
【０００５】
本発明は前記問題点に鑑みてなされたものであり、その目的とするところは、簡単な構造により雨水の浸入を効果的に防止することのできる自動販売機の雨水浸入防止構造を提供することにある。
【課題を解決するための手段】
【０００６】
本発明は前記目的を達成するために、自動販売機の前面に設けられた開口部への雨水の浸入を防止するための雨水浸入防止構造であって、前記開口部の少なくとも上方に開口部の幅以上の幅を有する突起部を設け、突起部を自動販売機の前面よりも前方へ突出するように形成した自動販売機の雨水浸入防止構造を提案する。
【０００７】
本発明によれば、少なくとも上方から自動販売機の前面を伝って開口部に流れ落ちてくる雨水が、突起部によって開口部から自動販売機の内部への浸入を妨げられる。
【発明の効果】
【０００８】
本発明によれば、少なくとも上方から自動販売機の前面を伝って開口部に流れ落ちてくる雨水が、突起部によって開口部から自動販売機の内部への浸入を妨げられるので、例えば開口部内に設けた排水装置のオーバーフローが発生せず、雨水の浸入による自動販売機の電気系の故障等を防ぐことができる。また、浸入する雨水量の低減によって、例えば排水路をコの字状の特殊な形状からＶ字状の簡易な形状にしたり、内部の防水加工を板金からゴム部材に変更する等、自動販売機の排水構造の簡略化を図ることができる。
【発明を実施するための最良の形態】
【０００９】
図１乃至図５は本発明の第１実施形態を示すもので、図１は本発明の第１実施形態における自動販売機の斜視図、図２は図１に示した硬貨返却口の拡大正面図、図３は図１に示した硬貨返却口の要部拡大側断面図、図４は本実施形態の変形例における硬貨返却口の要部拡大側断面図、図５は他の実施形態における硬貨返却口の要部拡大側断面図である。
【００１０】
図１に示すように、本実施形態の雨水浸入防止構造を備えた自動販売機には、自動販売機本体10の前面に外扉20が開閉自在に設けられており、外扉20の前面上部には化粧パネル21が設けられている。この化粧パネル21の内部には多数の商品サンプル21aと商品名や商品メーカ名等の広告21cが展示されており、化粧パネル21の前面には各商品サンプル21aに対応した商品選択ボタン21bがそれぞれ配置されている。
【００１１】
また、外扉20の前面中央には、ロック操作レバー22、硬貨投入口23、返却レバー24、金額表示部25、紙幣投入口26が設けられている。
【００１２】
ロック操作レバー22は外扉20内に設けられたロック機構（図示せず）を動作させるためのもので、専用キーによって解錠可能になっている。
【００１３】
また、外扉20の前面下部には、硬貨返却口27、商品取出口28が設けられており、商品取出口28には、手動により開放可能な開閉扉28aが設けられている。
【００１４】
図２に示すように、硬貨返却口27は、外扉20の前面を開口してなる開口部27aを有しており、その下部には返却する硬貨を受け止める硬貨受け27bが設けられている。開口部27aの上部には開口部27aの幅方向に延びる突起部30を設けた部材が取り付けられ、突起部30は開口部27aの幅Wと等しい幅に形成されている。なお、突起部30の幅は開口部27aの幅Wよりも大きい幅であってもよい。
【００１５】
図３に示すように、突起部30は外扉20の前面よりも前方に突出するとともに、自動販売機の下方に傾斜するように形成されている。これにより、例えば自動販売機に降ってきた雨水のように自動販売機の上方から外扉20の前面を伝って開口部27aに流れ落ちてくる雨水Aが、突起部30によって自動販売機の前方へ案内され、開口部27aから自動販売機の内部への浸入を妨げられる。
【００１６】
このように、本実施形態の自動販売機の雨水浸入防止構造によれば、自動販売機の上方から外扉20の前面を伝って開口部27aに流れ落ちてくる雨水Aが、突起部30によって自動販売機の前方へ案内され、開口部27aから自動販売機の内部への浸入を妨げられるので、例えば開口部27a内に設けた排水装置のオーバーフローが発生せず、雨水の浸入による自動販売機の電気系の故障等を防ぐことができる。また、浸入する雨水量の低減によって、例えば排水路をコの字状の特殊な形状からＶ字状の簡易な形状にしたり、内部の防水加工を板金からゴム部材に変更する等、自動販売機の排水構造の簡略化を図ることができる。
【００１７】
なお、本実施形態では、外扉20に突起部30を設けた部材を取り付ける構成を示したが、図４に示すように突起部30を外扉20に一体に形成したり、図５に示すように外扉20の内部に備わる内部部品40に設ける場合であっても、突起部30が自動販売機の下方に傾斜し、外扉20の前面よりも前方に突出するように形成されている限り、同様の効果を得ることができる。
【００１８】
図６は本発明の第２実施形態を示すもので、硬貨返却口の拡大正面図である。この図において、前述した第１実施形態と同一構成部分は同一符号をもって表しその説明を省略する。
【００１９】
第２実施形態では、開口部27aの上部に加え、開口部27aの両側部に開口部27aの高さ方向に延びる突起部30が設けられ、この突起部30は開口部27aの上下方向の寸法である高さHと等しい長さに形成されている。なお、突起部30の高さは開口部27aの高さHよりも上下方向に長くてもよい。
【００２０】
これにより、自動販売機の両側方から外扉20の前面を伝って開口部27aに流れ込んでくる雨水Aが、突起部30によって自動販売機の下方へ案内され、開口部27aから自動販売の内部への浸入を更に妨げられる。
【００２１】
なお、本実施形態では、開口部27aの両側部に設けた突起部30が自動販売機の下方に傾斜する場合に限定されず、突起部30が外扉20の前面よりも前方に突出するように形成されている限り、第１実施形態と同様の効果を得ることができる。
【００２２】
図７は本発明の第３実施形態を示すもので、硬貨返却口の拡大正面図である。この図において、前述した第１実施形態と同一構成部分は同一符号をもって表しその説明を省略する。
【００２３】
第３実施形態では、開口部の27aの両側部に突起部30を設けるとともに、開口部27aの上方に位置する突起部30を山形状に形成している。
【００２４】
これにより、自動販売機の上方及び両側方から外扉20の前面を伝って開口部27aに流れ込んでくる雨水Aが、突起部30によって自動販売機の下方へ案内され、開口部27aから自動販売機の内部への浸入を更に妨げられる。
【００２５】
なお、本実施形態では、開口部27aの上方及び両側部に設けた突起部30が自動販売機の下方に傾斜する場合に限定されず、突起部30が外扉20の前面よりも前方に突出するように形成されている限り、第１実施形態と同様の効果を得ることができる。
【００２６】
また、突起部30は硬貨返却口27の開口部27aに設ける場合に限定されず、これに代えて又はこれとともに、外扉20の前面に設けられた開口部、例えば紙幣投入口26、商品取出口28等に設けるようにしてもよい。
【００２７】
さらに、本発明の構成は、上述の実施形態にのみ限定されるものではなく、本発明の要旨を逸脱しない範囲内において種々変更を加えてもよい。
【図面の簡単な説明】
【００２８】
【図１】本発明の第１実施形態における自動販売機の斜視図
【図２】図１に示した硬貨返却口の拡大正面図
【図３】図１に示した硬貨返却口の要部拡大側断面図
【図４】他の実施形態における硬貨返却口の要部拡大側断面図
【図５】他の実施形態における硬貨返却口の要部拡大側断面図
【図６】本発明の第２実施形態における硬貨返却口の拡大正面図
【図７】本発明の第３実施形態における硬貨返却口の拡大正面図
【符号の説明】
【００２９】
20…外扉、27a…開口部、30…突起部、A…雨水、H…高さ、W…幅。
【図１】
2007048034.tif 000003
【図２】
2007048034.tif 000004
【図３】
2007048034.tif 000005
【図４】
2007048034.tif 000006
【図５】
2007048034.tif 000007
【図６】
2007048034.tif 000008
【図７】
2007048034.tif 000009